(57)【要約】プリント配線板を収容するためのハウジングであって、プリント配線板の装着部が、コミュニケーションシステムの少なくとも部分を形成しており、ハウジングにハウジングカバー（３）と、外側からアクセス可能な接続領域（１１）とが設けられており、メインプリント配線板（８）が、ベースハウジング部分（２）とカバー部分（４）との間に取り付けられており、メインプリント配線板（８）の拡張領域（１２）内に、少なくとも１つの拡張プリント配線板（１８）のための差込み装置（２３）が設けられており、拡張領域（１２）をカバーするために第１のカバーフード（５）が設けられており、このカバーフード（５）が、接続領域（１１）の方に向かって位置する差込み開口（１４）を有しており、該差込み開口（１４）が、組み立てられた状態で、少なくとも１つの拡張プリント配線板（１８）に設けられた差込装置（２４）に対応しており、この場合に第１のカバーフード（５）が、カバー部分（４）に、係止結合部（３９）により係止可能であり、この係止結合部（３９）が、工具の使用下にのみ再び解除可能になっている。
2006523011.tif 000002
【特許請求の範囲】
【請求項１】
プリント配線板を収容するためのハウジングであって、前記プリント配線板の装着部が、コミュニケーションシステムの少なくとも部分を形成しており、前記ハウジングに、ハウジングカバー（３）と、外側からアクセス可能な接続領域（１１）とが設けられており、メインプリント配線板（８）が、ベースハウジング部分（２）とカバー部分（４）との間に取り付けられており、メインプリント配線板（８）の拡張領域（１２）内に、少なくとも１つの拡張プリント配線板（１８）のための差込装置（２３）が設けられている形式のものにおいて、拡張領域（１２）をカバーするために第１のカバーフード（５）が設けられており、該第１のカバーフード（５）が、接続領域（１１）の方に位置する差込開口（１４）を有しており、該差込開口（１４）が、組み立てられた状態で、少なくとも１つの拡張プリント配線板（１８）に設けられた差込装置（２４）に対応しており、第１のカバーフード（５）が、カバー部分（４）に、係止結合部（３９）により係止可能であり、該係止結合部（３９）が、工具の使用下にのみ再び解除可能になっていることを特徴とする、プリント配線板の装着部がコミュニケーションシステムの少なくとも部分をなしているプリント配線板を収容するためのハウジング。
【請求項２】
接続領域（１１）をカバーするために、第２のカバーフード（６）が設けられており、該カバーフード（６）が、カバー部分（４）に、スナップ結合部（３７，３８）により解除可能に固定可能である、請求項１記載のハウジング。
【請求項３】
ベースハウジング部分（２）が、メインプリント配線板（８）の方へ突出した案内部分（７）を有しており、メインプリント配線板（８）が、ベースハウジング部分（２）の支持エッジ（２２）とカバー部分（４）との間にクランプにより保持されている、請求項１又は２記載のハウジング。
【請求項４】
メインプリント配線板（８）の端面に差込み装置（１７）が設けられており、該差込み装置（１７）により、少なくとも１つの第２の拡張プリント配線板（２８）との電気的な接続が形成可能である、請求項１から３までのいずれか１項記載のハウジング。
【請求項５】
差込開口（１４）が、第１のカバーフード（５）の、接続領域に対して位置する壁部に配置されている、請求項１から４までのいずれか１項記載のハウジング。
【請求項６】
差込開口（１４）が、長方形の輪郭により、接続領域に対して位置する壁部に形成されており、出発斜面（３０）を設けられている、請求項１から５までのいずれか１項記載の装置。
【請求項７】
カバー部分（４）、第１のカバーフード（５）及び／又は第２のカバーフード（６）が、射出成形により製造されている、請求項１から６までのいずれか１項記載のハウジング。
【請求項８】
カバー部分（４）、第１のカバーフード（５）及び／又は第２のカバーフード（６）が、それぞれポリマ材料から一体的に製造されている、請求項１から７までのいずれか１項記載のハウジング。
【請求項９】
第１のカバーフード（５）と第２のカバーフード（６）とが、長手方向中心軸線（１０）に対して同心的に延びる中央領域で凸状に湾曲されている、請求項１から８までのいずれか１項記載のハウジング。
【請求項１０】
組み立てられた状態で、第１のカバーフード（５）と第２のカバーフード（６）とが、カバー部分（４）の側方の壁区分（１５，１６）と表面がそろっている、請求項１から９までのいずれか１項記載のハウジング。
【請求項１１】
ベースハウジング部分（２）に、壁取付けのための鍵穴状の凹部（２５）が設けられている、請求項１から１０までのいずれか１項記載のハウジング。
【請求項１２】
カバー部分（４）の、接続領域（１１）の側方の境界に湾曲したスキッド状の（kufenfoermige）突合わせ面（３６）が形成されている、請求項１から１１までのいずれか１項記載のハウジング。
【発明の詳細な説明】
【技術分野】
【０００１】
本発明は、プリント配線板を収容するためのハウジングであって、プリント配線板の装着部がコミュニケーションシステムの少なくとも部分を形成しており、前記ハウジングにハウジングカバーと、外側からアクセス可能な接続領域とが設けられており、この場合にメインプリント配線板がベースハウジング部分とカバー部分とに取り付けられており、メインプリント配線板の拡張領域に、少なくとも１つの拡張プリント配線板のための差込装置が設けられている形式のものに関する。
【０００２】
従来技術
装着されたプリント配線板を収容するためのハウジングが種々異なった実施態様で公知になっている。コミュニケーションシステムの端末装置のために使用されるハウジングの場合には、ハウジングの構造的な基本構造が種々異なった端末装置のために拡張可能になっていなければならないという要請がしばしば生じる。テレコミュニケーション装置は、例えば２つのＳ０交換ポート（S０-Amts-Ports）及び４つのアナログの加入者接続部のための基本構成で設計されていてよい。拡張段階では、システムは複数のシステム装置のためにモジュール状に拡張可能になっていることが望ましい。拡張は、拡張カードの形の付加的なアナログ及び／又はデジタルの加入者インタフェースの組込みにより行われ、これらの拡張カードは、差込接続装置によりコミュニケーションシステムのメインプリント配線板に接続される。このことは、ハウジング内に拡張カードのための組込みスペースが設けられていなければならず、この組込みスペースが権限のある人にとってはアクセス可能であるが、しかしながら、ユーザにとってはアクセス不能になっていなければならないことを意味する。さらにハウジング内にはユーザによって簡単に開けることのできる接続スペースが設けられている必要があり、これにより、加入者端末装置をコミュニケーションシステムに接続することができるようになっている。
【０００３】
テレコミュニケーションシステムの端末装置は、大きい個数で製造され、ハウジングはできるだけ簡単かつ安価に製造可能でなければならない。
【０００４】
発明の詳細
本発明の課題は、冒頭で述べた形式のハウジングにおいて、ハウジングの製造がより安価であり、拡張コンポーネントのための組込みスペースが権限のある人にのみアクセス可能であり、これに対してシステム装置の接続のためには、接続領域へのアクセスが簡単な形式で可能なものを提供することである。
【０００５】
この課題は、請求項１の特徴により解決される。本発明の有利な構成、観点及び詳細が従属請求項、実施例の説明及び付属の図面から明らかである。
【０００６】
本発明によれば、冒頭で述べた形式のハウジングにおいて、拡張領域が第１のカバーフードによりカバーされており、この第１のカバーフードはベース部分に係止されており、この場合に係止結合の解除は工具の使用を必要とする。これにより、拡張スペースへのアクセスは、サービス又は保守作業のために権限のある人に制限されている。第１のカバーフードの、接続領域に隣接した壁には差込み開口が設けられている。組み立てられた状態では、これらの差込み開口は、追加プリント配線板の差込み装置に対応しており、これらの追加プリント配線板はメインプリント配線板の拡張領域内に嵌め込まれている。それ故、システム装置の接続は外側から可能である。
【０００７】
接続領域のカバーのために第２のカバーフードが設けられており、このカバーフードが、ベースハウジング部分にスナップ結合により解除可能に固定可能になっているハウジング構成が有利である。スナップ結合の解除は工具を必要としない。第２のカバーフードは、ベースハウジング部分から、簡単な操作により取り外すことができる。
【０００８】
ベースハウジング部分がメインプリント配線板に対して突出した支持部分を有している場合、有利である。このような構造により、メインプリント配線板は支持部分と、沈降されたカバー部分との間でクランプにより簡単に保持されている。
【０００９】
特に有利な構成では、メインプリント配線板の端面に差込み装置が設けられており、これらの差込み装置により、少なくとも１つの第２の拡張プリント配線板との電気的な接続が形成可能である。この第２の拡張プリント配線板は同様に差込み装置を有しており、これらの差込み装置は接続領域からアクセス可能である。これにより、加入者接続インタフェースを簡単な形式で拡張することができる。
【００１０】
有利には、第１のカバーフードの、接続領域に対して位置する壁部には差込み開口が配置されており、これらの差込み開口には出発斜面が設けられている。この出発斜面により、第１のカバーフードの被嵌めがより簡単になり、拡張プリント配線板のコネクタへの間隔をより狭く寸法取りすることができる。
【００１１】
製造コストに関して、カバー部分、第１及び／又は第２のカバーフードが射出成形により、有利にはプラスチックから製造されている場合、特に有利である。
【００１２】
ハウジングの魅力ある形状が、第１及び第２のカバーフードが長手方向中心軸線に対して同心的に延びる中央領域で凸状に湾曲されていることを特徴としている。
【００１３】
この場合に、組み立てられた状態では第１のカバーフードと第２のカバーフードとが、カバー部分の側方の壁区分により表面がそろっていることは有利である。
【００１４】
発明の構成
次に本発明の実施の形態を図面につきさらに詳しく説明する。
【００１５】
図１は、本発明によるハウジング１を組み立てられた状態で示している。このハウジング１は、テレコミュニケーションシステムの電子的なコンポーネントを有している。このハウジング１は、主にベースハウジング部分２とハウジングカバー３とから成っている。このハウジングカバー３は、カバー部分４と第１のカバーフード５と第２のカバーフード６とから成っている。ハウジング１の形状は、組み立てられた状態ではほぼ平行六面体状である。カバー部分４と両方のカバーフード５及び６は長手方向中心軸線１０に対して対称的に配列されている。斜視図から容易に判るように、ハウジング１は長手方向中心軸線１０に対して同心的に延びる凸状に隆起した前中央面２０を有している。この前中央面２０の側方にはカバー部分４の壁区分１５と、第２のカバーフード６の壁区分１６とが接続されている。凸状に前方へ湾曲された前中央面２０は、表面がそろうように側方の壁区分１５及び１６の前面に移行しており、このことは、ハウジング１に魅力的な外側形状を付与している。
【００１６】
図２は本発明によるハウジング１において、第２のカバーフード６が取り除かれているところを示しており、これにより、接続領域１１を見ることができる。この接続領域１１は、ハウジング１の前面から後退した、溝をつけられた凹部内に位置している。接続領域１１内には、システム端末装置の電気的な接続部のための種々異なった差込み装置２４，３２，３３を見ることができる。
【００１７】
図３は、第１のカバーフード５が持ち上げられた位置で示されていることにより図２とは異なっている。これにより、拡張プリント配線板１８を有する拡張領域１２を見ることができる。カバー部分４の凹部は拡張領域１２に続いており、差込み開口１３により破断されている。差込み開口１３は差込み装置２３を見ることができるようにしており、これらの差込み装置２３はメインプリント配線板８に取り付けられている。差込み装置２３内には拡張プリント配線板１８が差し込まれている。図３は、例として４つの差し込まれた拡張プリント配線板１８を示している。これらの拡張プリント配線板１８は、底側のエッジでカバー部分４の案内部１９内に保持されている。それぞれの拡張プリント配線板１８は接続室１１の方に向かって位置する差込み装置２４を有している。これらの差込み装置２４は、ユーザ側の端末装置の接続のために設けられており、接続室１１からアクセス可能になっている。
【００１８】
図４は、本発明によるハウジング１の分解図を示している。いまコミュニケーションシステムの組立は、メインプリント配線板８がベースハウジング部分２の周囲の支持縁部２２に載置され、その上にカバー部分４が被せ嵌められることにより行われる（案内部分７は組付け時にプリント配線板とカバー部分４とを案内するために役立つ）。カバー部分４が沈降された場合には、ベース部分２の係止ばね２９が変位せしめられる。カバー部分４が沈降された位置では、係止ばね２９はカバー部分４の対応した係止フック内に噛み合う。噛み合わされた（ｅｉｎｇｅｓｃｈｎａｐｐｅｄ）位置では、メインプリント配線板８はベースハウジング部分２とカバー部分４との間にクランプにより保持される。続いて第１のカバーフード５が被せ嵌められ、フック状舌片９が掛けられ、結合部３９（図３）によりカバー部分４に結合される。この係止結合部３９は、コミュニケーションシステムの保守作業員により、工具、例えばスクリュドライバの使用下に再び解除可能である。これに対してユーザにとっては拡張プリント配線板１８の組込み室１２（図３）はアクセス不能のままである。第１のカバーフード５の取付け後には、組立の最終ステップで第２のカバーフード６の組付けが行われる。このためには、カバーフード６は接続領域に矢印３１の方向に押し込まれ、スナップフック３７（図５）によってカバー部分４に結合される。このことは、反時計回り（in gegenlaeufiger Richtung）に行われ、機械的な工具を必要としない。旋回ロック２１が、フード６を引っ掛けて固定する場合に支援する。この構造により、第２のカバーフード６は手により簡単に取外し可能であり、接続領域にはユーザ側で容易にアクセス可能になっている。
【００１９】
ベースハウジング部分２の後壁は縁部領域に切込み２６を有している。この切込み２６には、入線と出線とを、例えばケーブルバインダによって固定することができる。鍵穴状の切欠き２５はハウジング１の壁取付けのために役立つ。拡張されていない差込みスペースをカバーするためには取壊し部分が設けられていてよく、これらの取壊し部分は、拡張段階に応じて開口から折り取られる。図示の実施例は、サブモジュールのための４つの組込みスペースを有しており、これらの組込みスペースはそれぞれアクセス可能なインタフェース領域を介して提供されている。第５の組込みスペースは、外側へのインタフェースなしの比較的短いモジュールを収容するために役立つ。
【００２０】
図４の分解図に示したように、メインプリント配線板８には端面に差込み装置１７が設けられており、これらの差込み装置１７により、メインプリント配線板８が別の拡張プリント配線板２８に電気的に接続可能である。これらの拡張プリント配線板２８は側方でメインプリント配線板８に差し込まれ、ほぼメインプリント配線板面２７の平面に延びている。これにより、アナログの加入者インタフェース３２から、拡張段階でデジタルの加入者インタフェース３３（図２）へ拡張することができる。
【００２１】
図５は、第２のカバーフード６を接続室から見た観察方向で示している。カバーフード６を被せ嵌める場合には、旋回ロック２１が第１のカバーフード５の対応した切欠きに挿入される。カバーフード６の沈降により、スナップフック３７がカバー部分４の対応した切欠き３８に噛み合う。このスナップ結合の解除は、外側から第２のカバーフード６の側壁に力を加えることにより得られ、工具を必要としない。
【００２２】
上に述べた構成から明らかなように、本発明によるハウジングは主に４つの部分から成っており、これらの４つの部分は係止若しくはスナップ結合により１つの構造体の形に組み立てられる。組立は簡単であり、比較的短い時間で可能である。手間のかかる結合手段、例えばねじ止めは不要である。製造コストに関しては、プラスチックより成るハウジングの構成が極めて有利である。ハウジングカバー３の全ての部分、例えばベースハウジング部分も、射出成形により安価に製造することができる。
【００２３】
当然のことながら、本発明はテレコミュニケーションシステムにおける使用に制限されておらず、電子技術の別の分野においても類似のタスク設定で使用可能である。
【図面の簡単な説明】
【００２４】
【図１】本発明によるハウジングの組み立てられた状態の斜視図である。
【図２】第２のカバーフードが取り外されており、接続室を見ることができる、図１の本発明によるハウジングの斜視図である。
【図３】第１のカバーフードを持ち上げられた状態で示す、図２の本発明によるハウジングを示す斜視図である。
【図４】図１の本発明によるハウジングの分解図である。
【図５】第１のカバーフードを内側から見た図である。
【符号の説明】
【００２５】
１  ハウジング、  ２  ベースハウジング部分、  ３  ハウジングカバー、  ４  カバー部分、  ５  第１のカバーフード、  ６  第２のカバーフード、  ７  案内部、  ８  メインプリント配線板、  ９  フック状舌片、  １０  長手方向中心軸線、  １１  接続室、  １２  拡張領域、  １３  ４の第１の差込み開口、  １４  ５の第２の差込み開口、  １５  ４の壁区分の側方前面、  １６  ６の壁区分の側方前面、  １７  端面の差込み装置、  １８  拡張プリント配線板（加入者）、  １９  １８のための案内部、  ２０  凸状に隆起した前中央面、  ２１  旋回ロック、  ２２  支持エッジ、  ２３  第１の差込み装置、  ２４  第２の差込み装置、  ２５  鍵穴状の切欠き、  ２６  切込み、  ２７  メインプリント配線板面、  ２８  拡張プリント配線板（デジタル）  ２９  ２の係止ばね、  ３０  出発斜面、  ３１  矢印、  ３２  アナログの加入者端末装置接続部、  ３３  デジタルの加入者端末装置、  ３６  突合わせ面、  ３７  ６のスナップフック、  ３８  ４の切欠き、  ３９  ４と５との間の係止結合部
【図１】
2006523011.tif 000003
【図２】
2006523011.tif 000004
【図３】
2006523011.tif 000005
【図４】
2006523011.tif 000006
【図５】
2006523011.tif 000007
【国際調査報告】
2006523011.tif 000008
2006523011.tif 000009
2006523011.tif 000010
2006523011.tif 000011